(57)【要約】      （修正有）【課題】再利用できるため、廃棄物の量が削減され、環境保護だけでなく、衛生用品の購入コストも削減される生理カップを提供する。【解決手段】カップ本体１と保持棒本体２を含む生理カップＡであって、カップ本体の内側は中空収容部１１であり、カップ本体は外壁体１２と内壁体１３を有し、内壁体には複数の溝１３１が設けられており、外壁体には環状凸リブ１２１が設けられている。カップ本体の上面には開口部１４が設けられ、開口部にはこぼれ防止凸リング１５、注ぎ口が設けられ、こぼれ防止凸リングの上面は傾斜面１５１であり、注ぎ口にはスリットが設けられており、保持棒本体には複数の滑り止凸リング２１が設けられている。生理カップは、女性の生理期間中に使用され、生理カップが女性の膣に挿入された後、月経血は開口部から中空収容部に流れて受け入れられ、保持棒本体を介して生理カップが膣から引き出される。【選択図】図２
0003230257.tif 000002
【実用新案登録請求の範囲】
【請求項１】
一種の改善された生理カップであって、カップ本体と保持棒本体とを含み、前記カップ本体の内側は中空収容部であり、前記カップ本体は外壁体と内壁体を有し、前記カップ本体の上面に開口部が設けられており、
前記生理カップは柔軟性があり、前記生理カップは女性の生理期間に使用され、前記生理カップを女性の膣に挿入した後、月経血は前記開口部から前記中空収容部に流入して受容され、前記生理カップは前記保持棒本体を介して膣から引き出されることを特徴とする、生理カップ。
【請求項２】
前記開口部にはさらに、こぼれ防止凸リングが設けられていることを特徴とする、請求項１に記載の生理カップ。
【請求項３】
前記こぼれ防止凸リングの上面は傾斜面であることを特徴とする、請求項２に記載の生理カップ。
【請求項４】
前記開口部は注ぎ口が設けられていることを特徴とする、請求項１または請求項２または請求項３に記載の生理カップ。
【請求項５】
前記注ぎ口にはスリットがさらに設けられていることを特徴とする、請求項４に記載の生理カップ。
【請求項６】
前記内壁体にはさらに複数の溝が設けられていることを特徴とする、請求項５に記載の生理カップ。
【請求項７】
前記複数の溝は、縦溝であることを特徴とする、請求項６に記載の生理カップ。
【請求項８】
前記保持棒本体には、複数の滑り止め凸リングがさらに設けられていることを特徴とする、請求項６に記載の生理カップ。
【請求項９】
前記カップ本体の前記外壁本体には、環状凸リブがさらに設けられていることを特徴とする、請求項７に記載の生理カップ。
【請求項１０】
前記カップ本体の上面には勾配があることを特徴とする、請求項８に記載の生理カップ。
【考案の詳細な説明】
【技術分野】
【０００１】
本考案は、一種の個人用生理用品の構造、特に女性の月経血を受け入れる生理カップの改良された構造である。
【背景技術】
【０００２】
従来から知られている技術は、ほとんどがパッド本体を備える生理用ナプキンであり、女性の下着の上面に生理用ナプキンを敷いて置き、パッド本体の外側の貼り付け翼片を介して、下着の裏に逆貼りをする。パッド本体には、生理中の女性からの月経血を吸収できる吸水性素材の吸水層を備えている。パッド本体の両側面には、月経血の横漏れを防ぐための側壁が設けられ、現在では、生理中に女性が最も多く使用している生理用品である。しかし、生理用ナプキンには多くの欠点があり、使用中に異物感を感じたり、アクティブな状態では不安になりやすく、生理用ナプキンの位置が気になり、暑い時期は蒸れやすくなり、頻繁に交換しないと、臭いや感染症が心配される。また、月経血の量が多い場合にナプキンから染み出し、服を汚すだけでなく、ユーザーをぎこちない状態にしてしまう心配もある。外出時に生理用ナプキンを携帯していない場合、一時的に新しいものを購入する必要があり、コストが上がるだけでなく、ユーザーも緊張をする。さらに、生理中は生理用ナプキンを頻繁に交換する必要があり、生理中の使用する生理用ナプキンの平均数は３５〜４０枚であるため、ゴミの量が多くなり、環境にやさしくなく、適切に包まれないで捨てると汚れが発生しやすくなる。また、生理用ナプキンの購入費用も女性の固定支出費の１つである。生理用ナプキンを使用しない場合、保管して置いたときに、湿ってしまうかどうかを心配することがあり、次回は使用できなくなる恐れがある。
【０００３】
別の従来の技術はタンポンであり、これは細長い綿の本体である。タンポンは侵襲的に挿入され、膣に挿入するには２つのステップが必要である。先にタンポンを入れてから外側カーバー本体を外して引き抜くと、女性にとって異物感が２度発生する。タンポンは吸水すると膨らみ、月経血を吸収すると膣内で膨らみ、膣内でふさがれ、月経血が流れ出なくなる。しかしながら、タンポンは生理用ナプキンと同じ欠点が多く、挿入時に２段階の操作が必要となり、使用において、生理用ナプキンより面倒である。ユーザーが使用中に異物感を感じ、頻繁に交換しないと、特有の臭いや感染症を心配したり、月経血量が多い場合に漏れたりする心配があり、服やズボンを汚すだけでなく、ぎこちない状態に陥る恐れがある。外出時にタンポンを携帯していない場合、一時的に新しいものを購入する必要があり、コストが高くなるだけでなく、緊張感も生じる。また、生理中はタンポンを頻繁に交換する必要があり、ゴミの量が多くなり、環境にもやさしくなくなり、正しく包み、廃棄しないと汚れが付きやすくなる。未使用のタンポンを保管して置いたときに、湿ってしまうかどうかを心配することがあり、次回は使用できなくなる恐れがある。
【考案の概要】
【考案が解決しようとする課題】
【０００４】
上記の問題は本考案者が個人的に感じた欠点であり、本考案者は長年にわたって上記の問題を懸念していたため、継続的な研究と改善を経て、ようやく本考案が生まれた。
【０００５】
本考案の目的は、ユーザーが再利用でき、衛生と環境保護の概念を持つ生理カップの構造を改善することである。
【課題を解決するための手段】
【０００６】
カップ本体と保持棒本体を含む生理カップの改良された構造である。カップ本体の内側は中空収容部であり、カップ本体は外壁体と内壁体を有し、内壁体には複数の溝が設けられており、外壁体には環状凸リブが設けられている。カップ本体の上面には開口部が設けられ、開口部にはこぼれ防止凸リング、注ぎ口が設けられ、こぼれ防止凸リングの上面は傾斜面であり、注ぎ口にはスリットが設けられており、保持棒本体には複数の滑り止凸リングが設けられている。生理カップは、女性の生理期間中に使用され、生理カップが女性の膣に挿入された後、月経血は開口部から中空収容部に流れて受け入れられ、保持棒本体を介して生理カップが膣から引き出される。本考案は再利用できるため、廃棄物の発生量が削減され、環境保護だけでなく、生理用品の購入費用も削減される。
【考案の効果】
【０００７】
前の段落で説明した構造により、生理中の女性に個人用衛生製品のより良い選択肢を提供する。本考案の素材は、柔軟性があり、洗浄後に再利用できる安全なシリコーンでできている。環境に優しいだけでなく、ゴミの大量発生する心配もなく、ユーザーの生理用品の購入費用も節約できる。
【０００８】
以下は、詳細な説明のための図面を伴う具体的な実施形態の例であり、それにより、本考案の技術的特徴をよりよく理解することができる。
【図面の簡単な説明】
【０００９】
【図１】本考案の３次元参照模式図である。
【図２】本考案の断面参照模式図である。
【図３】本考案の部分拡大参照模式図（一）である。
【図４】本考案の部分拡大参照模式図（二）である。
【図５】本考案の実施形態の参照模式図（一）である。
【図６】本考案の実施形態の参照模式図（二）である。
【考案を実施するための形態】
【００１０】
図１及び図２を参照されたい。本考案は一種の改善された生理カップを提供する。生理カップ（Ａ）は、カップ本体（１）と保持棒本体（２）からなり、カップ本体（１）の内側は中空収納部（１１）であり、カップ本体（１）は外壁体（１２）および内壁体（１３）、カップ本体（１）の外壁体（１２）には環状凸リブ（１２１）が設けられ、内壁体（１３）には複数の溝（１３１）が設けられ、複数の溝（１３１）は縦溝であり、カップ本体（１）の上面には開口部（１４）が設けられ、開口部（１４）にはこぼれ防止凸リング（１５）が設けられている。こぼれ防止凸リング（１５）の上面は傾斜面（１５１）であり、開口部（１４）には注ぎ口（１６）が設けられ、注ぎ口（１６）にはスリット（１７）が設けられている。保持棒本体（２）には複数の滑り止凸リング（２１）が設けられており、保持棒本体（２）はユーザーのニーズに応じて短くカットでき、カップ本体（１）の上面には勾配（１８）を有する。  
【００１１】
図３及び図６を参照されたい。本考案の生理カップ（Ａ）は柔軟性があり、女性の生理期間中に使用され、カップ本体（１）は、複数の溝（１３１）を介して折り目として半分に折りたたむことができる。さらに、カップ本体（１）の上面の勾配（１８）により、カップ本体（１）が半分に折り畳まれた後、こぼれ防止凸リング（１５）が互いに当接せず、上下のオーバーラップコンタクトを形成する。カップ本体（１）の体積は大幅に減少し、ユーザーは環状凸リブ（１２１）を保持して、膣（４）に挿入しやすくなる。
生理カップ（Ａ）が膣（４）に挿入された後、ユーザーは手を離すことができる。これにより、圧迫されたカップ（１）が元の形状に跳ね返り、複数の溝（１３１）は、カップ本体（１）が跳ねるときの張力を減少し、ユーザーの不快感を軽減する。カップ本体（１）は伸縮性があるため、膣（４）自体も伸縮性があり、跳ね返ったカップ本体（１）が膣（４）の壁に付着し、このとき、カップ本体（１）と膣（４）が真空状態を形成する。
【００１２】
月経血が子宮（３）から排出され始めると、カップ本体（１）の中空収容部（１１）は月経血を受け入れることができる。こぼれ防止凸リング（１５）の上面は傾斜面（１５１）であるため、月経血が開口部（１４）から中空収容部（１１）に滑り込むのを助けることができ、生理カップ（Ａ）が所定の使用時間に達した時、ユーザーは保持棒本体（２）を引いてカップ本体（１）を少し傾けさせ、このとき、スリット（１７）を介して真空状態を解除でき、次に、ユーザーは手で環状凸リブ（１２１）を支え、生理カップ（Ａ）を安定して取り出す。こぼれ防止凸リング（１５）は、生理カップ（Ａ）を取り出す際の不安定な揺れにより、ユーザーが月経血をはねかけるのを防ぐことができる。ユーザーは、月経血を注ぎ口（１６）から注ぎ出すことができ、生理カップ（Ａ）は完全に洗浄した後、再利用することができる。
【００１３】
全体的に言えば、生理カップ（Ａ）は女性に生理中の個人用衛生用品のより良い選択を提供する。また、本考案の素材は安全なシリコーンでできており、柔軟性があり、洗浄後の再利用が可能で、環境保護の概念を有するだけでなく、廃棄物の発生量を削減でき、ユーザーの買い物費用も節約できる。使用時の生理カップ（Ａ）は真空状態なので、生理カップ（Ａ）のズレを気にする必要がなく、蒸れ感もない。ユーザーは既に膣（４）に生理カップ（Ａ）を既に入れており、外出するときに忘れずに着用し、保管・放置する時、洗浄を行う限り劣化がなく、従来技術の欠点を大幅に改善する。  
【００１４】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００１５】
Ａ    生理カップ
１    カップ本体
１１  中空収容部
１２  外壁体  
１２１環状凸リブ
１３  内壁体
１３１溝
１４  開口部
１５  こぼれ防止凸リング  
１５１傾斜面
１６  注ぎ口  
１７  スリット
１８  勾配
２    保持棒本体  
２１  滑り止凸リング  
３    子宮
４    膣
【図１】
0003230257.tif 000003
【図２】
0003230257.tif 000004
【図３】
0003230257.tif 000005
【図４】
0003230257.tif 000006
【図５】
0003230257.tif 000007
【図６】
0003230257.tif 000008
【手続補正書】
【提出日】令和2年11月6日(2020.11.6)
【手続補正１】
【補正対象書類名】実用新案登録請求の範囲
【補正対象項目名】請求項１
【補正方法】変更
【補正の内容】
【請求項１】
一種の改善された生理カップであって、カップ本体と保持棒本体とを含み、前記カップ本体の内側は中空収容部であり、前記カップ本体は外壁体と内壁体を有し、前記カップ本体の上面に開口部が設けられており、前記生理カップは柔軟性があることを特徴とする、生理カップ。